(57)【特許請求の範囲】
【請求項１】
客に販売する商品の登録処理を実行する登録手段と、
まとめ販売の対象であるかを示す情報に基づいて、登録処理された商品の中から、まとめ販売の対象となる商品の組み合わせを選択する第１の選択手段と、
前記第１の選択手段が選択した商品の組み合わせに応じた値引額を設定する割引手段と、
前記第１の選択手段が、より大きい値引額となる商品の組み合わせを選択した場合に、商品の組み合わせと値引額とを更新する更新手段と、
前記更新手段が商品の組み合わせを更新した場合に、登録処理された商品のうち、まとめ販売の組み合わせになっていない商品の中から、まとめ販売の対象となる商品の組み合わせを選択する第２の選択手段と、
を備える商品販売データ処理装置。
【請求項２】
前記第１の選択手段と、前記第２の選択手段、前記割引手段と、前記更新手段とは、前記登録手段が商品を登録する度に動作する、
ことを特徴とする請求項１に記載の商品販売データ処理装置。
【請求項３】
まとめ販売の対象として選択された商品の組み合わせを含む情報を、商品販売データ処理装置を操作するキャッシャに対して表示するキャッシャ側表示手段と、
まとめ販売の対象として選択された商品の組み合わせを含む情報を、客に対して表示する客側表示手段と、をさらに備える、
ことを特徴とする請求項１または請求項２に記載の商品販売データ処理装置。
【請求項４】
まとめ販売の対象として選択された商品の組み合わせを含む情報を、レシートに印字して発行する印字手段をさらに備える、
ことを特徴とする請求項１から請求項３のいずれか１項に記載の商品販売データ処理装置。
【請求項５】
商品販売データ処理装置を、
客に販売する商品の登録処理を実行する登録手段と、
まとめ販売の対象であるかを示す情報に基づいて、登録処理された商品の中から、まとめ販売の対象となる商品の組み合わせを選択する第１の選択手段と、
前記第１の選択手段が選択した商品の組み合わせに応じた値引額を設定する割引手段と、
前記第１の選択手段が、より大きい値引額となる商品の組み合わせを選択した場合に、商品の組み合わせと値引額とを更新する更新手段と、
前記更新手段が商品の組み合わせを更新した場合に、登録処理された商品のうち、まとめ販売の組み合わせになっていない商品の中から、まとめ販売の対象となる商品の組み合わせを選択する第２の選択手段と、
して機能させるプログラム。
【発明の詳細な説明】
【技術分野】
【０００１】
本発明の実施の形態は、商品販売データ処理装置およびプログラムに関する。
【背景技術】
【０００２】
スーパーマーケット等の小売店舗において、規定の商品を組み合わせて購入する、いわゆるまとめ買いを行った場合に、個々の商品を通常の価格で購入する場合と比べて、より安価に購入できるまとめ販売を行う例がある（例えば、特許文献１）。
【０００３】
しかしながら、このような従来のまとめ販売にあっては、商品の組み合わせが１通りに決まっていた。したがって、例えば、商品Ａと商品Ｂとを組み合わせて購入した場合の値引額と、商品Ａと商品Ｃとを組み合わせて購入した場合の値引額とを異なる値引額に設定することができなかった。そのため、まとめ販売を行う商品の組み合わせが制限されてしまうため、サービスの柔軟性に欠けるという問題があった。
【発明の概要】
【発明が解決しようとする課題】
【０００４】
本発明が解決しようとする課題は、まとめ販売の対象となる商品の組み合わせを柔軟に設定することが可能な商品販売データ処理装置およびプログラムを提供することである。
【課題を解決するための手段】
【０００５】
実施の形態の商品販売データ処理装置は、登録手段と、第１の選択手段と、割引手段と、更新手段と、第２の選択手段とを備える。登録手段は、客に販売する商品の登録処理を実行する。第１の選択手段は、まとめ販売の対象であるかを示す情報に基づいて、登録処理された商品の中から、まとめ販売の対象となる商品の組み合わせを選択する。割引手段は、第１の選択手段が選択した商品の組み合わせに応じた値引額を設定する。更新手段は、第１の選択手段が、より大きい値引額となる商品の組み合わせを選択した場合に、商品の組み合わせと値引額とを更新する。第２の選択手段は、更新手段が商品の組み合わせを更新した場合に、登録処理された商品のうち、まとめ販売の組み合わせになっていない商品の中から、まとめ販売の対象となる商品の組み合わせを選択する。
【図面の簡単な説明】
【０００６】
【図１】図１は、本実施の形態に係る商品販売データ処理装置の一例であるＰＯＳ端末装置の外観を示す斜視図である。
【図２】図２は、ＰＯＳ端末装置のハードウェア構成の一例を示すハードウェアブロック図である。
【図３】図３は、ＰＯＳ端末装置の機能構成の一例を示す機能ブロック図である。
【図４】図４は、値引マスタの構成の一例を示す図である。
【図５】図５は、まとめ値引を行う際の値引額の設定方法を示す図である。
【図６】図６は、ＰＯＳ端末装置が行う処理のうち、客が購入する商品を登録する商品登録処理の流れの一例を示すフローチャートである。
【図７】図７は、図４の値引マスタで設定された商品を登録する際に、ＰＯＳ端末装置が行う商品登録処理の具体的な流れを示す図である。
【図８】図８は、ＰＯＳ端末装置がキャッシャ側表示操作部に表示する画面の一例を示す図である。
【図９】図９は、ＰＯＳ端末装置が客側表示部に表示する画面の一例を示す図である。
【図１０】図１０は、ＰＯＳ端末装置の印字制御部が印字して発行するレシートの一例を示す図である。
【発明を実施するための形態】
【０００７】
以下、添付図面を参照して、本発明の実施の形態である商品販売データ処理装置について説明する。
【０００８】
（商品販売データ処理装置の全体構成の説明）
図１は、本実施の形態に係る商品販売データ処理装置の一例であるＰＯＳ（Point  Of  Sales）端末装置１０の外観を示す斜視図である。ＰＯＳ端末装置１０は、キーボード４と、キャッシャ側表示手段の一例であるキャッシャ側表示操作部５と、レシートプリンタ６と、客側表示手段の一例である客側表示部７と、バーコードリーダー８とを備えている。
【０００９】
ユーザインタフェースであるキーボード４およびキャッシャ側表示操作部５は、ＰＯＳ端末装置１０の上面に、キーボード４が手前側、キャッシャ側表示操作部５が奥側に配されている。
【００１０】
キーボード４は、入力装置の一部であり、置数キー、クリアキー、戻りキー、小計キー、締めキー等の複数のキーを備えている。置数キーは、商品コードや金額等の数値を入力するためのテンキーである。クリアキーは、エラー発生時等に操作を取り消すためのキーである。戻りキーは、現在の操作をキャンセルして直前の画面に戻すためのキーである。小計キーは、商品を登録する商品登録処理を完了して、取引合計額の算出を宣言するためのキーである。締めキーは、入力された内容を確定して決済処理（会計処理）を行う場合に押下するキーである。
【００１１】
キャッシャ側表示操作部５は、例えばＬＣＤ（Liquid  Crystal  Display）パネル５ａ等の表示デバイスと、当該表示デバイスの表面に積層されたタッチパネル５ｂとを備えている。ＬＣＤパネル５ａは、キャッシャに対して、登録処理および決済処理等の処理状態に応じた画面を表示する。タッチパネル５ｂは、ＬＣＤパネル５ａに表示された画面、またはボタン等に対するキャッシャの押下動作を検出して、押下された位置に応じて、ＰＯＳ端末装置１０の動作を制御する。
【００１２】
レシートプリンタ６は、ＰＯＳ端末装置１０の上面左側に配されて、顧客に手渡す明細票およびレシート（領収証）を印字する。またレシートプリンタ６は、発行口６ａを備えて、印字したレシートを発行する。
【００１３】
客側表示部７は、ＬＣＤパネル（図２参照）で構成されており、ＰＯＳ端末装置１０の上面奥側に設けられている。客側表示部７は、表示面を客に向けて配置され、登録した商品の金額、値引額、取引合計額、値引合計額等を表示する。なお、以下では、客側表示部７をＬＣＤパネル７として記載する場合がある。
【００１４】
さらに、ＰＯＳ端末装置１０には、商品に貼付されたバーコードから、当該バーコードが保持するコードデータを読み取るバーコードリーダー８が接続されている。バーコードリーダー８は、コードデータの受光信号をデコード（復号）して、バーコードが表現しているコードデータ（商品を特定する商品コード）を取得し、ＰＯＳ端末装置１０のＣＰＵ２２（図２参照）に出力する。
【００１５】
（ＰＯＳ端末装置のハードウェア構成の説明）
次に、図２を用いて、ＰＯＳ端末装置１０のハードウェア構成について説明する。図２は、ＰＯＳ端末装置１０のハードウェア構成の一例を示すハードウェアブロック図である。図２に示すように、ＰＯＳ端末装置１０は、各部を制御するための制御部２０を備える。制御部２０は、ＣＰＵ（Central  Processing  Unit）２２と、ＲＯＭ（Read  Only  Memory）２４と、ＲＡＭ（Random  Access  Memory）２６とを備える、一般的なコンピュータの構成を有する。ＣＰＵ２２は、ＲＯＭ２４や記憶部３０に記憶された各種プログラムを、ＲＡＭ２６に展開する。ＣＰＵ２２は、ＲＡＭ２６に展開された各種プログラムに従って動作して、ＰＯＳ端末装置１０の全体の制御を司る。
【００１６】
制御部２０は、バスライン４０を介して、記憶部３０と、コントローラ５０と接続する。
【００１７】
記憶部３０は、電源を切っても記憶情報が保持されるフラッシュメモリ等の不揮発性メモリである。記憶部３０は、制御プログラムＰ１を含むプログラム等を記憶する。制御プログラムＰ１は、ＰＯＳ端末装置１０が備える機能を発揮させるためのプログラムである。また、記憶部３０は、値引マスタ３２を記憶する。値引マスタ３２は、商品コードと商品の名称、商品の価格等とを対応付けて記憶するとともに、まとめ買いをすると値引になる商品の組み合わせと、値引額とを記憶したマスタファイルである。なお、値引マスタ３２の内容は日々更新されるため、ＰＯＳ端末装置１０は、図２に不図示の通信インタフェースを介して、値引マスタ３２の最新の内容を店舗サーバから定期的に受信する。
【００１８】
コントローラ５０は、制御部２０と、各種周辺機器、すなわち、ＬＣＤパネル５ａと、タッチパネル５ｂと、ＬＣＤパネル７と、キーボード４と、バーコードリーダー８と、レシートプリンタ６とを接続する。コントローラ５０は、制御部２０からの指令に基づいて、接続された各種周辺機器を制御する。
【００１９】
（ＰＯＳ端末装置の機能構成の説明）
次に、図３を用いて、ＰＯＳ端末装置１０の機能構成について説明する。図３は、ＰＯＳ端末装置１０の機能構成の一例を示す機能ブロック図である。
【００２０】
制御部２０のＣＰＵ２２（図２参照）は、記憶部３０が記憶している制御プログラムＰ１を読み出して、ＲＡＭ２６に展開する。制御部２０は、制御プログラムＰ１に従って動作することで、図３に示す各機能部を、ＲＡＭ２６上に生成する。具体的には、制御部２０は、機能部として、登録部２０ａと、選択部２０ｂと、割引設定部２０ｃと、更新部２０ｄと、表示制御部２０ｅと、印字制御部２０ｆとを実現する。
【００２１】
登録部２０ａは、登録手段の一例であり、客に販売する商品の登録処理を実行する。
【００２２】
選択部２０ｂは、選択手段の一例であり、値引マスタ３２が有する、まとめ販売の対象であるかを示す情報に基づいて、登録処理された商品の中から、まとめ販売の対象となる商品の組み合わせを選択する。
【００２３】
割引設定部２０ｃは、割引手段の一例であり、選択部２０ｂが選択した商品の組み合わせに応じた値引額を設定する。より具体的には、割引設定部２０ｃは、値引マスタ３２を参照することによって、選択部２０ｂが選択した商品の組み合わせに応じた値引額を設定する。
【００２４】
更新部２０ｄは、更新手段の一例であり、選択部２０ｂが、より大きい値引額となる商品の組み合わせを選択した場合に、商品の組み合わせと値引額とを更新する。
【００２５】
表示制御部２０ｅは、選択された、まとめ販売の対象となる商品の組み合わせを含む情報を、キャッシャ側表示操作部５に表示する。また、表示制御部２０ｅは、選択された、まとめ販売の対象となる商品の組み合わせを含む情報を、客側表示部７に表示する。
【００２６】
印字制御部２０ｆは、印字手段の一例であり、選択された、まとめ販売の対象となる商品の組み合わせを含む情報を、レシートに印字して発行する。
【００２７】
（値引マスタの構成の説明）
次に、図４を用いて、値引マスタ３２の構成について説明する。図４は、値引マスタ３２の構成の一例を示す図である。
【００２８】
値引マスタ３２は、図４に示すように、商品の識別情報３２ｂと、対象の区分３２ｃと、組合せ成立時の値引額３２ｄと、キャンペーン名称３２ｅの各情報を記憶している。そして、同じ企画に属する組合せ商品には、組合せ企画のＩＤ番号３２ａとして同一のＩＤ番号が付与されている。
【００２９】
商品の識別情報３２ｂは、さらに、商品コード３４ａと、商品名称３４ｂと、単価３４ｃとを記憶している。商品コード３４ａは、例えばＪＡＮ（Japanese  Article  Number）コードであり、各商品に付与された固有の識別番号である。商品名称３４ｂは、各商品の名称である。単価３４ｃは、各商品の単価である。
【００３０】
対象の区分３２ｃは、各商品に対して、条件商品か、値引対象商品か、いずれにも該当しないかのいずれかの情報が格納されている。条件商品とは、まとめ値引の対象となる商品である。値引対象商品とは、条件商品とまとめて購入することで、まとめ値引の対象となる商品である。そして、条件商品と、値引対象商品と、のいずれにも該当しない場合には、対象の区分３２ｃは空欄となる。
【００３１】
組合せ成立時の値引額３２ｄは、条件商品と値引対象商品とをまとめて購入した際の値引額を示す。
【００３２】
キャンペーン名称３２ｅは、まとめ値引を行うサービスの名称等を表す。
【００３３】
（まとめ値引の考え方の説明）
次に、図５を用いて、まとめ値引の考え方について説明する。図５は、まとめ値引を行う際の値引額の設定方法を示す図である。
【００３４】
例えば、条件商品である弁当Ａと、値引対象商品である飲料Ａと飲料Ｂとをまとめ買いしたとする。このとき、前記した値引マスタ３２（図４参照）の内容を参照すると、図５(ａ)に示すように、まとめ値引が可能な商品の組み合わせが２種類成立する（弁当Ａと飲料Ａ、弁当Ａと飲料Ｂ）。このような場合は、値引額がより大きい商品の組み合わせを成立させるものとする。すなわち、図５（ｂ）に示すように、弁当Ａと飲料Ｂの組み合わせを成立させるものとする。そして、この場合、商品の組み合わせから外れた飲料Ａは、値引なし（１５０円）で販売される。
【００３５】
また、図５には図示しないが、同一の値引対象商品を複数登録した場合は、複数登録された同一の値引対象商品の各々に対して、組み合わせを成立させる条件商品を探索する。
【００３６】
（ＰＯＳ端末装置が行う商品登録処理の流れの説明）
次に、図６を用いて、ＰＯＳ端末装置１０の制御部２０が、制御プログラムＰ１に基づいて行う処理の流れについて説明する。図６は、ＰＯＳ端末装置１０が行う処理のうち、客が購入する商品を登録する商品登録処理の流れの一例を示すフローチャートである。
【００３７】
登録部２０ａは、客が購入する商品を１点登録する（ステップＳ１０）。
【００３８】
選択部２０ｂは、ステップＳ１０で登録された１点の商品と、既に登録済の商品との間で、まとめ販売可能な商品の組み合わせを選択する（ステップＳ１２）。
【００３９】
さらに、割引設定部２０ｃは、値引額がより大きい商品の組み合わせがあるかを判定する（ステップＳ１４）。値引額がより大きい商品の組み合わせがあると判定される（ステップＳ１４：Ｙｅｓ）と、ステップＳ１６に移行する。一方、値引額がより大きい商品の組み合わせがあると判定されない（ステップＳ１４：Ｎｏ）と、ステップＳ２０に移行する。
【００４０】
ステップＳ１６において、更新部２０ｄは、商品の組み合わせを更新する。
【００４１】
次に、選択部２０ｂは、ステップＳ１６において組み合わせから外れた商品について、まとめ値引が可能な商品の組み合わせを再選択する（ステップＳ１８）。
【００４２】
表示制御部２０ｅは、ステップＳ１８で選択された商品の組み合わせを含む全ての選択結果を、キャッシャ側表示操作部５と客側表示部７に表示する（ステップＳ２０）。
【００４３】
登録部２０ａは、全ての商品の登録が完了したかを判定する（ステップＳ２２）。具体的には、例えば、キーボード４に備えられた締めキーが押下されたことを検出して、全ての商品の登録が完了したかを判定する。全ての商品の登録が完了したと判定される（ステップＳ２２：Ｙｅｓ）と、図６の処理を終了する。一方、全ての商品の登録が完了したと判定されない（ステップＳ２２：Ｎｏ）と、ステップＳ１０に戻って、次の商品の登録を行う。
【００４４】
なお、図示はしないが、図６に示す商品登録処理が終了した後で、ＰＯＳ端末装置１０は、商品登録した内容で決済を行う決済処理と、決済した内容をレシートに印字して発行するレシート印字処理とを行う。
【００４５】
（商品登録処理の具体的な流れの説明）
次に、図７を用いて、ＰＯＳ端末装置１０の制御部２０が、制御プログラムＰ１に基づいて行う処理の流れについて説明する。図７は、図４の値引マスタ３２で設定された商品を登録する際に、ＰＯＳ端末装置１０が行う商品登録処理の具体的な流れを示す図である。
【００４６】
図７（ａ）から図７（ｄ）は、ＰＯＳ端末装置１０が前記した商品登録処理を行う際に、制御部２０が備えるＲＡＭ２６に記憶される、商品登録処理の途中経過の一例を示している。
【００４７】
まず、弁当Ａを登録すると、図７（ａ）に示すように、商品名称である「弁当Ａ」と、弁当Ａの金額である「８００円」とがＲＡＭ２６に登録される。そして、ＰＯＳ端末装置１０は、次の商品の登録を待つ。
【００４８】
続いて弁当Ｂを登録すると、図７（ｂ）に示すように、商品名称である「弁当Ｂ」と、弁当Ｂの金額である「１０００円」とがＲＡＭ２６に登録される。さらに、ＲＡＭ２６には取引合計額である「１８００円」が登録される。そして、ＰＯＳ端末装置１０は、次の商品の登録を待つ。
【００４９】
次に飲料Ａを登録すると、図７（ｃ）に示すように、商品名称である「飲料Ａ」が登録される。そして、「飲料Ａ」は値引対象商品であるため、選択部２０ｂは、既に登録された商品の中から、「飲料Ａ」と組み合わせて購入することでまとめ値引が適用される商品を選択する。このとき、選択部２０ｂは登録された順に商品の選択を行うため、最初に登録した「弁当Ａ」が選択される。そして、割引設定部２０ｃは、まとめ値引による値引額が「３０円」であると算出する。さらに、算出された値引額である「３０円」と、値引によって「飲料Ａ」の金額が「１２０円」になることと、がＲＡＭ２６に登録される。また、「飲料Ａ」と「弁当Ａ」とがまとめ販売の対象となる商品の組み合わせであることを示す情報が、ＲＡＭ２６の企画の欄に登録される。具体的には、企画の欄にアルファベット順にａ、ｂ、…が登録される。さらに、ＲＡＭ２６には、取引合計額である「１９２０円」と、値引合計額である「３０円」とが登録される。
【００５０】
次に飲料Ｂを登録すると、図７（ｄ）に示すように、商品名称である「飲料Ｂ」が登録される。そして、「飲料Ｂ」は値引対象商品であるため、選択部２０ｂは、既に登録された商品の中から、「飲料Ｂ」と組み合わせて購入することでまとめ値引が適用される商品を選択する。このとき、選択部２０ｂは登録された順に商品の選択を行うため、最初に登録した「弁当Ａ」が選択される。そして、割引設定部２０ｃは、「飲料Ｂ」と「弁当Ａ」とのまとめ値引による値引額が「５０円」であると算出する。割引設定部２０ｃは、算出された値引額である「５０円」が、図７（ｃ）で算出された値引額である「３０円」よりも大きいことに基づいて、「飲料Ｂ」と「弁当Ａ」とを新たな商品の組み合わせとして選択する。そして、更新部２０ｄは、企画の欄の「飲料Ａ」と「弁当Ａ」に付与された情報「ａ」を削除して、「飲料Ｂ」と「弁当Ａ」とに、まとめ販売の対象となる商品の組み合わせであることを示す情報「ａ」を付与する。これによって、「飲料Ｂ」と「弁当Ａ」とが、新たな商品の組み合わせとして選択される。
【００５１】
さらに、選択部２０ｂは、企画の欄が空欄である値引対象商品の「飲料Ａ」と、まとめ販売の対象となる商品が登録されているかを再選択する。図７（ｄ）の例では、「飲料Ａ」と「弁当Ｂ」とがまとめ販売の対象となる商品の組み合わせとして選択される。そして、割引設定部２０ｃは、「飲料Ａ」と「弁当Ｂ」とのまとめ値引による値引額が「３０円」であると算出する。更新部２０ｄは、「飲料Ａ」と「弁当Ｂ」とに、まとめ販売の対象となる商品の組み合わせであることを示す情報「ｂ」を付与する。これによって、「飲料Ａ」と「弁当Ｂ」とが、新たな商品の組み合わせとして選択される。さらに、ＲＡＭ２６には、取引合計額である「２０７０円」と、値引合計額である「８０円」とが登録される。
【００５２】
このように、ＰＯＳ端末装置１０は、新たな商品が登録される度に、まとめ販売の対象となる商品の選択と、割引額の設定と、商品の組み合わせの更新と、まとめ販売の対象となる商品の再選択とを繰り返す。
【００５３】
（キャッシャ側表示操作部に表示される画面の説明）
次に、図８を用いて、キャッシャ側表示操作部５に表示される画面について説明する。図８は、ＰＯＳ端末装置１０がキャッシャ側表示操作部５に表示する画面の一例を示す図である。
【００５４】
表示制御部２０ｅは、新たな商品が登録される度に、キャッシャ側表示操作部５に、登録商品情報６０を表示する。登録商品情報６０は、部門６０ａと、商品名６０ｂと、単価６０ｃと、点数６０ｄと、値引６０ｅと、金額６０ｆとを含む。
【００５５】
部門６０ａの欄には、まとめ販売の対象として選択された商品の組み合わせであることを示す情報が、例えばアルファベット順（ａ、ｂ、…）で表示される。商品名６０ｂの欄には、値引マスタ３２（図４参照）に登録された商品名称が表示される。単価６０ｃの欄には、値引マスタ３２に登録された商品の単価が表示される。点数６０ｄの欄には、登録部２０ａ（図３参照）が登録した商品の点数が表示される。値引６０ｅの欄には、値引マスタ３２に登録された、組み合わせ成立時の値引額３２ｄにマイナスの符号を付した金額が表示される。金額６０ｆの欄には、値引額を考慮した商品の金額が表示される。
【００５６】
なお、商品名６０ｂの欄には、商品名とともに、まとめ値引のキャンペーン名称が併せて表示される。キャンペーン名称は、商品名称と対応付けられて値引マスタ３２に登録されているキャンペーン名称３２ｅ（図４参照）が読み出されて表示される。
【００５７】
なお、キャッシャ側表示操作部５の下部には、登録された商品の合計点数と、客からの預かり金額と、釣銭額とが表示される。また、キャッシャ側表示操作部５の最下部にはメッセージ枠６２が設けられる。表示制御部２０ｅは、メッセージ枠６２に、キャッシャに対して必要な情報を表示する。例えば、図８に示すように、「お釣りをお渡しください。」等の表示を行うことによって、キャッシャの作業を支援する。
【００５８】
（客側表示部に表示される画面の説明）
次に、図９を用いて、客側表示部７に表示される画面について説明する。図９は、ＰＯＳ端末装置１０が客側表示部７に表示する画面の一例を示す図である。
【００５９】
表示制御部２０ｅは、新たな商品が登録される度に、客側表示部７に、登録商品情報７０を表示する。登録商品情報７０は、部門７０ａと、商品名７０ｂと、単価７０ｃと、点数７０ｄと、値引７０ｅと、金額７０ｆを含む。
【００６０】
部門７０ａの欄には、まとめ販売の対象として選択された商品の組み合わせであることを示す情報が、例えばアルファベット順（ａ、ｂ、…）で表示される。商品名７０ｂの欄には、登録された商品名称が表示される。単価７０ｃの欄には、商品の単価が表示される。点数７０ｄの欄には、登録された商品の点数が表示される。値引７０ｅの欄には、値引額が表示される。金額７０ｆの欄には、値引額を考慮した商品の金額が表示される。
【００６１】
なお、登録商品情報７０は、最初にまとめ販売の対象として選択されなかった商品を表示して、その後にまとめ販売の対象として選択された商品を表示する。具体的には、図９に示すように、１行目にまとめ販売の対象として選択されなかった商品である「飲料Ｃ」を表示する。そして、２行目と３行目、すなわち隣接する行に第１の組み合わせである「弁当Ａ」と「飲料Ａ」とを表示して、４行目と５行目、すなわち隣接する行に第２の組み合わせである「弁当Ｂ」と「飲料Ｂ」とを表示する。このような順で登録商品情報７０を表示することによって、客は、まとめ販売による値引が行われていることを、容易に認識することができる。
【００６２】
また、客側表示部７の最下部にはメッセージ枠７２が設けられる。表示制御部２０ｅは、メッセージ枠７２に必要な情報を表示する。例えば、図９に示すように、「値引額は暫定値です。値引額は商品の登録に応じて更新されます。」等の表示を行うことによって、客の理解を深める。
【００６３】
なお、キャッシャ側表示操作部５に表示する登録商品情報６０と、客側表示部７に表示する登録商品情報７０とは、書式を変えて表示する例を示したが、これらは表示形態の一例であって、登録商品情報６０と登録商品情報７０とを同じ書式で表示しても構わない。
【００６４】
（レシートプリンタが印字するレシートの説明）
次に、図１０を用いて、レシートプリンタ６が印字して発行するレシートについて説明する。図１０は、ＰＯＳ端末装置１０の印字制御部２０ｆ（図３参照）が印字して発行するレシート９０の一例を示す図である。
【００６５】
印字制御部２０ｆは、レシート９０に、客が購入した商品名９２ａ、９２ｂ、９２ｃと、まとめ販売による割引がなされたことを示すキャンペーン情報９４ａ、９４ｂとを含む情報を印字する。
【００６６】
商品名９２ａ、９２ｂ、９２ｃは、組み合わせが成立しなかった商品が先に（レシート９０の上部に）印字される。組み合わせが成立しなかった商品とは、まとめ販売の非対象商品、および、まとめ販売の対象となる条件商品と値引対象商品のうち、組み合わせが成立しなかった商品である。例えば、図１０の例では、まとめ販売の非対象商品である商品名９２ａが先に印字される。
【００６７】
その後、印字制御部２０ｆは、組み合わせが成立した商品名を連続して印字する。図１０の例では、商品名９２ｂとして、「弁当Ａ」と「飲料Ａ」とが連続して印字される。また、商品名９２ｃとして、「弁当Ｂ」と「飲料Ｂ」とが連続して印字される。
【００６８】
さらに、印字制御部２０ｆは、商品名９２ｂの後に、キャンペーン情報９４ａを印字する。また、商品名９２ｃの後に、キャンペーン情報９４ｂを印字する。なお、キャンペーン情報９４ａ、９４ｂは、キャンペーン名称と、まとめ販売による値引額とを含む。
【００６９】
なお、印字制御部２０ｆは、その他に、小計、合計、預かり額、釣り銭額等をレシート９０に印字する。
【００７０】
以上説明したように、実施の形態のＰＯＳ端末装置１０（商品販売データ処理装置）によれば、登録部２０ａ（登録手段）が、客に販売する商品の登録処理を実行して、選択部２０ｂ（選択手段）が、まとめ販売の対象であるかを示す情報に基づいて、登録処理された商品の中から、まとめ販売の対象となる商品の組み合わせを選択する。そして、割引設定部２０ｃ（割引手段）は、選択部２０ｂが選択した商品の組み合わせに応じた値引額を設定して、更新部２０ｄ（更新手段）は、選択部２０ｂが、より大きい値引額となる商品の組み合わせを選択した場合に、商品の組み合わせと値引額とを更新する。したがって、まとめ販売の対象となる商品の組み合わせを柔軟に設定することができる。
【００７１】
また、実施の形態のＰＯＳ端末装置１０によれば、選択部２０ｂと、割引設定部２０ｃと、更新部２０ｄとは、登録部２０ａが商品を登録する度に動作する。したがって、新たな商品が登録される度に、その時点で値引額が最大となる商品の組み合わせが選択されるため、キャッシャと客は、まとめ販売による値引額を迅速に確認することができる。
【００７２】
また、実施の形態のＰＯＳ端末装置１０によれば、選択部２０ｂは、登録部２０ａが商品を登録する度に、登録処理された商品の中から、まとめ販売の対象となる商品の組み合わせを選択するとともに、更新部２０ｄが商品の組み合わせを更新した場合に、登録処理された商品のうち、まとめ販売の組み合わせになっていない商品の中から、まとめ販売の対象となる商品の組み合わせを選択する。したがって、新たな商品を登録する度に、値引額が最大となるような、まとめ販売の対象となる商品の組み合わせを選択することができる。
【００７３】
また、実施の形態のＰＯＳ端末装置１０によれば、キャッシャ側表示操作部５（キャッシャ側表示手段）は、まとめ販売の対象として選択された商品の組み合わせを含む情報を、ＰＯＳ端末装置１０（商品販売データ処理装置）を操作するキャッシャに対して表示する。また、客側表示部７（客側表示手段）は、まとめ販売の対象として選択された商品の組み合わせを含む情報を、客に対して表示する。したがって、キャッシャと客の双方に対して、まとめ販売の対象となる商品の組み合わせを含む情報を提示することができる。
【００７４】
また、実施の形態のＰＯＳ端末装置１０によれば、印字制御部２０ｆ（印字手段）は、まとめ販売の対象として選択された商品の組み合わせを含む情報を、レシート９０に印字して発行する。したがって、まとめ販売の対象となる商品の組み合わせを、客がわかり易い形式でレシート９０に印字することができる。
【００７５】
以上、本発明の実施の形態を説明したが、この実施の形態は例示であり、発明の範囲を限定することは意図していない。この新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【００７６】
例えば、制御部２０が実行する制御プログラムＰ１は、記憶部３０に格納された状態で提供してもよいし、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供されてもよい。また、制御プログラムＰ１は、ネットワークに接続したコンピュータ上に格納して、ネットワーク経由でダウンロードすることによって提供してもよい。さらに、制御プログラムＰ１は、インターネット等のネットワーク経由で提供または配布してもよい。
【符号の説明】
【００７７】
５    キャッシャ側表示操作部（キャッシャ側表示手段）
６    レシートプリンタ
７    客側表示部（客側表示手段）
１０    ＰＯＳ端末装置（商品販売データ処理装置）
２０    制御部
２０ａ    登録部（登録手段）
２０ｂ    選択部（選択手段）
２０ｃ    割引設定部（割引手段）
２０ｄ    更新部（更新手段）
２０ｅ    表示制御部
２０ｆ    印字制御部（印字手段）
３０    記憶部
３２    値引マスタ
【先行技術文献】
【特許文献】
【００７８】
【特許文献１】特開２００２−２８８７４１号公報
【図１】
0006989393.tif 000002
【図２】
0006989393.tif 000003
【図３】
0006989393.tif 000004
【図４】
0006989393.tif 000005
【図５】
0006989393.tif 000006
【図６】
0006989393.tif 000007
【図７】
0006989393.tif 000008
【図８】
0006989393.tif 000009
【図９】
0006989393.tif 000010
【図１０】
0006989393.tif 000011